(57)【要約】【課題】撮影時間を短くすることができる撮像装置を提供する。【解決手段】不可視光、可視光を含む複数の波長の光を時間的に連続して発光するとともに、発光毎に被写体２を撮像する撮像装置１であって、撮像素子９を有する撮像部４と、前記複数の波長の光を発光する発光部５と、前記撮像部４及び前記発光部５を制御する制御部６とを備え、制御部６は、前記発光部５に不可視光を発光させるときに、前記発光部５に可視光を発光させるときに比べ、撮像に用いられる前記撮像素子９の画素数を減らして前記撮像部４に被写体２を撮像させる。【選択図】図１
2013179524.tif 000002
【特許請求の範囲】
【請求項１】
不可視光、可視光を含む複数の波長の光を時間的に連続して発光するとともに、発光毎に被写体を撮像する撮像装置であって、
撮像素子を有する撮像部と、
前記複数の波長の光を発光する発光部と、
前記撮像部及び前記発光部を制御する制御部とを備え、
前記制御部は、前記発光部に不可視光を発光させるときに、前記発光部に可視光を発光させるときに比べ、撮像に用いられる前記撮像素子の画素数を減らして前記撮像部に被写体を撮像させることを特徴とする撮像装置。
【請求項２】
前記制御部は、前記撮像部による被写体の撮像を制御する撮像制御部と、
前記発光部により発光される光の波長と発光タイミングとを制御する発光制御部とを有し、
前記発光制御部は、前記発光部に発光させる光の波長を決定するとともに、決定された波長の光を所定の発光タイミングで前記発光部に発光させ、
前記撮像制御部は、前記発光制御部により決定された光の波長に基づいて、前記撮像素子の画素数を変更するとともに、所定の発光タイミングに合わせて前記撮像部に被写体を撮像させることを特徴とする請求項１に記載の撮像装置。
【請求項３】
前記発光制御部は、不可視光を用いた撮像が終了した後に前記発光部に可視光を発光させ、
前記撮像制御部は、可視光が発光されるときに、前記発光部から不可視光が発光されるときに比べ、前記撮像素子の画素数を増やして前記撮像部に被写体を撮像させることを特徴とする請求項２に記載の撮像装置。
【請求項４】
前記発光部は、可視光を発光する可視光発光部と、不可視光を発光する不可視光発光部とを有することを特徴とする請求項２又は請求項３に記載の撮像装置。
【請求項５】
前記発光部は、不可視光として赤外光を発光することを特徴とする請求項２乃至請求項４のいずれか一項に記載の撮像装置。
【請求項６】
前記発光部は、不可視光として紫外光を発光することを特徴とする請求項２乃至請求項５のいずれか一項に記載の撮像装置。
【請求項７】
前記制御部は、被写体が撮像領域に位置することを認識する認証処理部をさらに備え、
前記発光制御部は、前記認識処理部による被写体の認識があったときに、前記発光部に不可視光を発光させ、
前記撮像制御部は、前記認識処理部による被写体の認識があるまで、撮像に用いられる前記撮像素子の画素数を減らした状態で前記撮像部を待機させ、前記認識処理部による被写体の認識があったときに、待機しているときの画素数のまま、前記撮像部に被写体を撮像させることを特徴とする請求項２乃至請求項６のいずれか一項に記載の撮像装置。
【発明の詳細な説明】
【技術分野】
【０００１】
本発明は、例えば、帳票等を被写体として撮像する撮像装置に関し、詳しくは、可視光及び不可視光を発光して帳票等に含まれる写真を撮像する撮像装置に関する。
【背景技術】
【０００２】
従来、旅券等の帳票を撮像する撮像装置が知られている。例えば、旅券を撮像する撮像装置は、空港の入国審査などで用いられる。
【０００３】
帳票に含まれる写真部分（以下、被写体という）は、照射される光の異なる波長毎に、異なる画像を映し出すことが可能になっている。例えば、可視光が照射された場合、被写体は、帳票所有者の顔写真を映し出すことが可能になっている。また、不可視光が照射された場合、被写体は、特有の記号（例えば、偽造防止記号）を映し出すことが可能になっている。
【０００４】
そこで、撮像装置は、被写体に対して、可視光及び不可視光のそれぞれを照射して、被写体の顔写真及び特有の記号を撮像している。複数の波長の光を被写体に照射して、照射した光毎に被写体を撮像する装置として、例えば、特許文献１に示された画像読取装置が知られている。
【先行技術文献】
【特許文献】
【０００５】
【特許文献１】特開２０１１−５５２６６号公報
【発明の概要】
【発明が解決しようとする課題】
【０００６】
ところで、特許文献１に示された画像読取装置のように、異なる波長の光を被写体に照射してそれぞれの光毎に画像を読み取る（撮像する）場合、撮像素子の画素数によって撮像時間の長短は大きく影響されていた。従来では、撮像素子が低画素であり、撮像時間については問題になっていなかった。しかしながら、近年では、画質向上のために高画素の撮像素子を利用することが多い。高画素の撮像素子を利用することで画質向上が望めるが、１つの波長の光毎の撮像時間も長くなる傾向にある。結果として、全ての波長の光について撮像する時間である、全体としての撮像時間も長くなる傾向にある。そのため、高画素の撮像素子を利用したとしても、全体としての撮像時間を短くすることが切望されている。
【０００７】
そこで、本発明は、撮像時間を短くすることができる撮像装置を提供することを課題とする。
【課題を解決するための手段】
【０００８】
本発明に係る撮像装置は、不可視光、可視光を含む複数の波長の光を時間的に連続して発光するとともに、発光毎に被写体を撮像する撮像装置であって、撮像素子を有する撮像部と、前記複数の波長の光を発光する発光部と、前記撮像部及び前記発光部を制御する制御部とを備え、前記制御部は、前記発光部に不可視光を発光させるときに、前記発光部に可視光を発光させるときに比べ、撮像に用いられる前記撮像素子の画素数を減らして前記撮像部に被写体を撮像させることを特徴とする。
【０００９】
この撮像装置によれば、発光部から不可視光が発光されるときに、発光部から可視光が発光されるときに比べて、被写体の画像信号のデータ量を少なくすることができる。これにより、撮像素子が被写体を常に高画素で撮像する場合に比べ、制御部が撮像部から画像信号を読み出す時間は短くなる。したがって、時間的に連続して可視光及び不可視光のそれぞれで被写体を撮像するときに、撮像素子が被写体を最大の画素数で全ての撮像をする場合に比べ、全体としての撮像時間を短縮することができる。
【００１０】
また、本発明に係る撮像装置において、前記制御部は、前記撮像部による被写体の撮像を制御する撮像制御部と、前記発光部により発光される光の波長と発光タイミングとを制御する発光制御部とを有し、前記発光制御部は、前記発光部に発光させる光の波長を決定するとともに、決定された波長の光を所定の発光タイミングで前記発光部に発光させ、前記撮像制御部は、前記発光制御部により決定された光の波長に基づいて、前記撮像素子の画素数を変更するとともに、所定の発光タイミングに合わせて前記撮像部に被写体を撮像させてもよい。
【００１１】
この撮像装置によれば、撮像制御部が、発光制御部により決定された光の波長に基づいて、撮像に利用する撮像素子の画素数を変更する。また、撮像制御部は撮像部が被写体を撮像するタイミングに合わせて、発光制御部に発光させるタイミングを合わせるので、発光部の発光に合わせて、定められた画素数で被写体を撮像することができる。
【００１２】
また、本発明に係る撮像装置において、前記発光制御部は、不可視光を用いた撮像が終了した後に前記発光部に可視光を発光させ、前記撮像制御部は、可視光が発光されるときに、前記発光部から不可視光が発光されるときに比べ、前記撮像素子の画素数を増やして前記撮像部に被写体を撮像させてもよい。
【００１３】
この撮像装置によれば、不可視光による被写体の撮像が終了した後に、撮像制御部は、撮像に利用される撮像素子の画素数を増加させる。これにより、不可視光による被写体の撮像と、可視光による被写体の撮像とをしつつ、全体としての撮像時間を短縮できる。
【００１４】
また、本発明に係る撮像装置において、前記発光部は、可視光を発光する可視光発光部と、不可視光を発光する不可視光発光部とを有してもよい。
【００１５】
この撮像装置によれば、可視光発光部が可視光を発光するので、撮像部は、被写体を可視光で撮像することができる。また、不可視光発光部が不可視光を発光するので、撮像部は、被写体を不可視光で撮像することができる。
【００１６】
また、本発明に係る撮像装置において、前記発光部は、不可視光として赤外光を発光してもよい。
【００１７】
この撮像装置によれば、発光部は、赤外光が照射された被写体を撮像することができる。
【００１８】
また、本発明に係る撮像装置において、前記発光部は、不可視光として紫外光を発光してもよい。
【００１９】
この撮像装置によれば、発光部は、紫外光が照射された被写体を撮像することができる。
【００２０】
また、本発明に係る撮像装置において、前記制御部は、被写体が撮像領域に位置することを認識する認証処理部をさらに備え、前記発光制御部は、前記認識処理部による被写体の認識があったときに、前記発光部に不可視光を発光させ、前記撮像制御部は、前記認識処理部による被写体の認識があるまで、撮像に用いられる前記撮像素子の画素数を減らした状態で前記撮像部を待機させ、前記認識処理部による被写体の認識があったときに、待機しているときの画素数のまま、前記撮像部に被写体を撮像させてもよい。
【００２１】
この撮像装置によれば、認識部に被写体が認識されるまで、撮像制御部は、撮像に利用される画素数を減らした状態で撮像部を待機させる。そして、認識処理部が被写体を認識すると、発光制御部は、発光部に不可視光を発光させる。また、撮像制御部は、撮像部にその画素数のままで被写体を撮像させる。したがって、認識処理部が被写体を認識した後に、撮像制御部が撮像素子の画素数を変更する場合に比べ、被写体を撮像するまでの時間を短縮することができる。その結果、全体としての撮像時間をより短縮できる。
【発明の効果】
【００２２】
本発明によれば、撮像時間を短くすることができるという優れた効果を奏する。
【図面の簡単な説明】
【００２３】
【図１】本発明の第１の実施形態に係る撮像装置の概略図
【図２】本実施形態に係る制御部及び発光部の概略ブロック図
【図３】本実施形態に係る撮像部の概略ブロック図
【図４】本実施形態に係る撮像装置による撮像動作の流れを示すフローチャート
【図５】本実施形態に係る撮像装置による撮像動作の流れを示すフローチャート
【図６】本発明の第２の実施形態に係る撮像装置による撮像動作の流れを示すフローチャート
【発明を実施するための形態】
【００２４】
＜第１の実施形態＞
本発明に係る撮像装置の第１の実施形態について、図１乃至図５を参照しながら説明する。
【００２５】
まず、本実施形態に係る撮像装置１について前提を説明する。本実施形態に係る撮像装置１は、図１に示すように、透明な読取面３に載置された旅券等の帳票に設けられる写真や文字（以下、被写体２とする）を、読取面３を介して撮像する。撮像装置１は、時間的に連続して可視光及び不可視光をそれぞれ少なくとも１度発光するとともに、発光される波長毎に被写体２を撮像する。被写体２は、例えば、旅券に設けられる被写体２のページが開かれた状態で読取面３に載置される。そして、被写体２が読取面３に対向した状態で、撮像装置１は、被写体２の撮像をするものである。
【００２６】
一般的に、撮像された被写体２の認識において、可視光で撮像する際に必要とされる画素数（解像度）に対して、不可視光で撮像する際に必要とされる画素数（解像度）は少なくてよい。ここで、画素数を少なくする（減らす）とは、一般的に間引き処理読み出しや加算読み出し処理を行うことをさす。そこで、本実施形態に係る撮像装置１は、不可視光で被写体２を撮像するときには撮像に利用される撮像素子の画素数を減らし、可視光で被写体２を撮像するときには撮像に利用される撮像素子の画素数を増やす又は全ての画素を利用する。なお、本実施形態において、撮像装置１は、赤外光、紫外光、可視光の順で被写体２を撮像するものとする。
【００２７】
撮像装置１においてこのような動作を実現すべく、撮像装置１は、図１に示すように、被写体２を撮像する撮像部４と、可視光又は不可視光を発光する発光部５と、該発光部５により発光される光の波長と、撮像部４による被写体２の撮像とを制御する制御部６とを備える。
【００２８】
撮像部４は、読取面３に載置された被写体２を撮像するものである。撮像部４は、読取面３に載置された被写体２を撮像可能な位置に設けられる。図１に示すように、本実施形態においては、撮像部４は、読取面３の下方に設けられる反射ミラー（レフ板）７を介して読取面３に載置された被写体２を撮像すべく、読取面３に対して側方下部に設けられる。撮像部４は、図３に示すように、撮像される被写体２の像を集光する撮像ユニット（光学系）８と、撮像ユニット８によって結像された被写体２の像を光電変換し、ゲイン等の内部設定の変更を行う撮像素子９と、撮像素子９によって光電変換された被写体２の画像信号を撮像素子９から読み出す画像信号読出部１０とを有する。
【００２９】
撮像ユニット８は、反射ミラー７を望む方向に向けられて設けられる。そして、撮像ユニット８は、読取面３に載置された被写体２の像を撮像素子９に集光する。具体的に、撮像ユニット８は、読取面３に載置された被写体２の像を反射ミラー７を介して撮像素子９に集光する。
【００３０】
撮像素子９は、撮像ユニット８を介して、反射ミラー７に対向する位置に設けられる。撮像素子９は、撮像ユニット８により集光・結像された被写体２の像を撮像（光電変換）する。これにより、撮像素子９は、被写体２の像を画像信号に変換する。なお、撮像素子９は、制御部６による制御により、撮像に使用する画素数を変更可能に構成される。具体的に、撮像素子９は、制御部６から画素数を増やす又はフルサイズで撮像する制御がされることで、より多くの画素又は全ての画素を利用して被写体２を撮像する。また、撮像素子９は、制御部６から画素数を少なくして撮像する制御がされることで、全ての画素のうち、一部を間引いて被写体２を撮像する。
【００３１】
画像信号読出部１０は、撮像素子９で撮像され、光電変換された被写体２の像を画像信号として撮像素子９から読み出す。例えば、画像信号読出部１０は、撮像素子９から読み出した画像信号をＲＡＷデータとして読み出す。
【００３２】
発光部５は、読取面３に向けて、可視光又は不可視光を発光可能な位置に設けられる。本実施形態において、図１に示すように、発光部５は、撮像部４の上方であり、読取面３の側方下側に設けられる。発光部５は、図２に示すように、可視光を発光する可視光発光部１１と、不可視光を発光する不可視光発光部１２とを有する。発光部５は、制御部６により決定された、発光する光の波長及び発光タイミングで発光を制御される。
【００３３】
可視光発光部１１は、読取面３に向けて、可視光（例えば、下限３６０−４００ｎｍ、上限７６０−８３０ｎｍ）を照射可能に構成されている。可視光発光部１１は、被写体２の可視光による像を撮像する場合に発光される。本実施形態において、可視光発光部１１は、例えば、被写体２としての旅券の顔写真や文字を撮像する際に発光される。
【００３４】
不可視光発光部１２は、読取面３に向けて、不可視光（例えば、赤外光や紫外光）を照射可能に構成されている。不可視光発光部１２は、被写体２の不可視光による像を撮像する場合に発光される。本実施形態において、不可視光発光部１２は、例えば、被写体２としての旅券の顔写真部分に形成された記号等（例えば、偽造防止記号）を撮像する際に発光される。なお、不可視光発光部１２は、波長の異なる複数の光源を有し、それらの光源から使用する光源（波長）を選択する構成か、または１つの光源から異なる波長を選択する構成のいずれでもよい。
【００３５】
制御部６は、発光部５に発光させる光の波長を切り替えて発光させるとともに、発光部５の発光に合わせて撮像部４を動作させる。より具体的に、制御部６は、不可視光発光部１２に不可視光を発光させるときに、可視光発光部１１に可視光を発光させるときに比べ、撮像に利用される撮像素子９の画素数を減らして撮像部４に被写体２を撮像させるとともに、被写体２の画像信号を撮像部４から読み出す。制御部６は、図２に示すように、撮像部４による被写体２の撮像を制御する撮像制御部１３と、発光部５により発光される光の波長と発光タイミングとを制御する発光制御部１４と、撮像素子９において光電変換された被写体２の画像信号を処理する画像処理部１５と、画像処理部１５において処理された画像信号（画像データ）から被写体２を認識する認識処理部１６とを有する。
【００３６】
撮像制御部１３は、発光制御部１４により決定された光の波長に基づいて、撮像素子９の画素数を変更するとともに、所定の発光タイミングに合わせて撮像部４から得られる画像信号を取り込む。より具体的に、撮像制御部１３は、発光制御部１４により発光波長が決定された後に、撮像素子９の画素数を変更したことを発光制御部１４に送信し、その後、発光制御部１４から発光タイミングを得ることでその発光タイミングに合わせて撮像部４から得られる画像信号を取り込む。
【００３７】
例えば、撮像制御部１３は、発光制御部１４により不可視光を発光することが決定されたとき、可視光を発光するときに比べて、撮像に利用される撮像素子９の画素数を減らす。また、撮像制御部１３は、発光制御部１４により可視光を発光することが決定されたとき、不可視光を発光するときに比べて、撮像に利用される撮像素子９の画素数を増やす。なお、撮像制御部１３は、不可視光で被写体２を撮像するときに、撮像素子９が有する画素数に対して、１／１６倍以上の画素数で撮像するように変更する。好ましくは、撮像制御部１３は、撮像素子９が有する画素数に対して、１／５倍以上の画素数で撮像するように変更する。
【００３８】
発光制御部１４は、時間的に連続する被写体２の撮像において、撮像される順序を追って、発光部５から発光される可視光又は不可視光の波長を決定する。例えば、赤外光、紫外光、可視光の順で撮像をする場合、発光制御部１４は、紫外光、赤外光、可視光の順を追って、発光部５に発光させる波長を決定する。また、発光制御部１４は、決定した波長の発光タイミングを決定する。発光制御部１４は、決定した発光させる波長及び発光タイミングを撮像制御部１３に送る。さらに、発光制御部１４は、決定した発光タイミングで可視光発光部１１又は不可視光発光部１２に発光させる。
【００３９】
画像処理部１５は、画像信号読出部１０から、撮像素子９により撮像された画像信号を受信する。画像処理部１５は、受信した画像信号を認識処理可能な画像データに変換して格納する。例えば、画像処理部１５は、画像信号読出部１０からＲＡＷデータとして得た画像信号に対して、例えば、色補正、シェーディング補正、ＪＰＥＧデータに変換等の処理を行う。
【００４０】
認識処理部１６は、画像処理部１５に格納された画像データについて、いずれの波長で撮像された画像データであるのかを認識する。
【００４１】
次に、本実施形態に係る撮像装置１の動作を、図４に示すフローチャートを参照して説明する。
【００４２】
まず、被写体２が読取面３に載置された後、発光制御部１４は、赤外光を発光すべく、発光部５を制御する。また、発光制御部１４は、赤外光を発光する信号を撮像制御部１３に送信する（ステップＳ１）。
【００４３】
撮像制御部１３は、発光制御部１４から赤外光を発光する信号を受けて、撮像に利用する撮像素子９の画素数を、フルサイズで撮像する場合（可視光で発光する場合）よりも少なくして撮像部４を起動する（ステップＳ２）。撮像制御部１３は、撮像部４が起動した旨の信号を発光制御部１４に送信する。
【００４４】
発光制御部１４は、発光タイミングを決定し（ステップＳ３）、該発光タイミングを撮像制御部１３に送信する。また、発光制御部１４は、発光タイミングに合わせて、不可視光発光部１２に赤外光を発光させる（ステップＳ４）。撮像制御部１３は、送信された発光タイミングに合わせて、撮像部４に被写体２を撮像させる（ステップＳ５）。
【００４５】
画像信号読出部１０は、撮像された被写体２の画像信号を撮像素子９から読み出す（ステップＳ６）。画像処理部１５は、画像信号読出部１０から画像信号を受信して、画像信号を画像データに変換する（ステップＳ７）。画像処理部１５は、変換した画像データを格納する。認識処理部１６は、格納された画像データを、赤外光により撮像された画像として認識する（ステップＳ８）。
【００４６】
次に、発光制御部１４は、紫外光を発光すべく、発光部５を制御する。また、発光制御部１４は、紫外光を発光する信号を撮像制御部１３に送信する。
【００４７】
撮像制御部１３は、発光制御部１４から紫外光を発光する信号を受けて、現在の画素数で撮像部４に撮像させることを決定する。撮像制御部１３は、撮像部４が撮像可能である旨の信号を発光制御部１４に送信する。
【００４８】
発光制御部１４は、発光タイミングを決定し（ステップＳ９）、該発光タイミングを撮像制御部１３に送信する。また、発光制御部１４は、発光タイミングに合わせて、不可視光発光部１２に紫外光を発光させる（ステップＳ１０）。撮像制御部１３は、送信された発光タイミングに合わせて、撮像部４に被写体２を撮像させる（ステップＳ１１）。
【００４９】
画像信号読出部１０は、撮像された被写体２の画像信号を撮像素子９から読み出す（ステップＳ１２）。画像処理部１５は、画像信号読出部１０から画像信号を受信して、画像信号を画像データに変換する（ステップＳ１３）。画像処理部１５は、変換した画像データを格納する。認識処理部１６は、格納された画像データを、紫外光により撮像された画像として認識する（ステップＳ１４）。
【００５０】
次に、発光制御部１４は、可視光を発光すべく、発光部５を制御する。また、発光制御部１４は、可視光を発光する信号を撮像制御部１３に送信する（ステップＳ１５）。
【００５１】
撮像制御部１３は、発光制御部１４から可視光を発光する信号を受けて、現在の画素数から全ての画素を利用して被写体２を撮像すべく、撮像に利用する撮像素子９の画素数を変更する（ステップＳ１６）。撮像制御部１３は、画素数の変更が終了した後、撮像部４が撮像可能である旨の信号を発光制御部１４に送信する。
【００５２】
発光制御部１４は、発光タイミングを決定し（ステップＳ１７）、該発光タイミングを撮像制御部１３に送信する。発光制御部１４は、発光タイミングに合わせて可視光発光部１１に可視光を発光させる（ステップＳ１８）。撮像制御部１３は、送信された発光タイミングに合わせて、撮像部４に被写体２を撮像させる（ステップＳ１９）。
【００５３】
画像信号読出部１０は、撮像された被写体２の画像信号を撮像素子９から読み出す（ステップＳ２０）。画像処理部１５は、画像信号読出部１０から画像信号を受信して、画像信号を画像データに変換する（ステップＳ２１）。画像処理部１５は、変換した画像データを格納する。認識処理部１６は、格納された画像データを、可視光により撮像された画像として認識する（ステップＳ２２）。
＜実施例＞
次に、本実施形態における実施例を説明する。本実施形態において、撮像素子９が撮像可能な画像信号のデータ量を、１．３Ｍ、５Ｍ、８Ｍとする。ここで、８Ｍのデータ量は、全ての撮像素子９を利用して被写体２を撮像したときに該当する。５Ｍのデータ量は、一部の撮像素子９を利用して被写体２を撮像したときに該当する。１．３Ｍのデータは、従来の低画素の撮像素子９を利用して被写体２を撮像したときに該当する。
【００５４】
８Ｍのデータ量で撮像するときのフレームレートを１５ｆｐｓと規定する。５Ｍのデータ量で撮像するときのフレームレートを７．５ｆｐｓと規定する。１．３Ｍのデータ量で撮像するときのフレームレートを３ｆｐｓと規定する。また、撮像素子９の画素数を変更する時間を１Ｖと規定する。なお、単位Ｖは、１／（現在のフレームレート）で示される時間（秒）と定義する。
【００５５】
【表１】
2013179524.tif 000003
表１に示すように、全ての波長において、従来の１．３Ｍで撮像する場合、全体として０．２０秒の撮像時間がかかる。８Ｍで撮像できる高画素の撮像素子９を利用して、全ての波長について撮像する場合、全体として１．００秒の撮像時間に増加する。また、高画素の撮像素子９で画素数を減らして５Ｍで全ての波長について撮像する場合、全体として０．４０秒の撮像時間となる。
【００５６】
そこで、本実施形態のように、赤外光及び紫外光で撮像素子９の画素数を減らして撮像すると、全ての波長について撮像したとしても、０．７３秒の撮像時間になる。被写体２の撮像に利用する撮像素子９の画素数を増減することで、全体の撮像時間を０．２７秒短縮することができる。
【００５７】
以上のように、本実施形態に係る撮像装置１によれば、異なる波長毎に被写体２を撮像するときに、全体の撮像時間を短縮することができる。
＜第２の実施形態＞
次に、本発明に係る第２の実施形態について、図１乃至図６を参照しながら説明する。
【００５８】
本実施形態における撮像装置１は、撮像部４を起動した状態で待機させ、被写体２が撮像領域に位置することを認識したときに、被写体２を撮像するものである。撮像部４は、可視光で被写体２を撮像するときに比べ、画素数を減らした状態で待機する。また、本実施形態においては、被写体２の撮像について、発光部５は、不可視光を発光した後に、可視光を発光するものとする。具体的に、発光部５は、赤外光、紫外光、可視光の順で発光するものとする。
【００５９】
本実施形態における撮像装置１は、第１の実施形態における認識処理部１６がさらに、撮像領域に被写体２が位置したことを認識する点で第１の実施形態と異なる。その他の構成については、第１の実施形態と同一であるので、ここでの説明を省略する。
【００６０】
次に、本実施形態に係る撮像装置１の動作を、図６に示すフローチャートを参照して説明する。なお、赤外光で被写体２を撮像した後の動作は、第１の実施形態における撮像装置１の動作と同一であるので、ここでの説明を省略する。
【００６１】
撮像制御部１３は、撮像部４を起動した状態で待機させる（ステップＳ２３）。このとき、撮像制御部１３は、撮像に利用される撮像素子９の画素数を減らした状態で撮像部４を待機させる。具体的に、撮像制御部１３は、可視光を発光するときに利用する撮像素子９の画素数に対して、画素数を減らした状態で撮像部４を待機させる。より好ましくは、撮像制御部１３は、不可視光を発光するときに利用する撮像素子９の画素数で撮像部４を待機させる。この間、撮像制御部１３は、撮像部４に読取面３の位置の画像を撮像させるとともに、画像処理部１５に撮像した画像信号を送信させる。
【００６２】
認識処理部１６は、被写体２が撮像領域に位置するか否かを判断する（ステップＳ２４）。具体的に、認識処理部１６は、画像処理部１５の画像を常時監視し、被写体２の有無を判断する。認識処理部１６は、被写体２が撮像領域に位置することを認識すると（ステップＳ２４  ＹＥＳ）、撮像制御部１３に被写体２が撮像領域に存在する旨の信号を光源制御部６に送信する。認識処理部１６は、被写体２が撮像領域に位置しないと判断すると、被写体２が撮像領域に位置するまで待機する（ステップＳ２４  ＮＯ）。
【００６３】
発光制御部１４は、認識処理部１６による被写体２の認識があったときに、赤外光を発光すべく、発光部５を制御する。また、発光制御部１４は、赤外光を発光する信号を撮像制御部１３に送信する。また、発光制御部１４は、発光タイミングを決定し（ステップＳ２５）、該発光タイミングを撮像制御部１３に送信する。また、発光制御部１４は、発光タイミングに合わせて、不可視光発光部１２に赤外光を発光させる（ステップＳ２６）。撮像制御部１３は、待機している画素数のまま、送信された発光タイミングに合わせて、撮像部４に被写体２を撮像させる（ステップＳ２７）。
【００６４】
画像信号読出部１０は、撮像された被写体２の画像信号を撮像素子９から読み出す（ステップＳ２８）。画像処理部１５は、画像信号読出部１０から画像信号を受信して、画像信号を画像データに変換する（ステップＳ２９）。画像処理部１５は、変換した画像データを格納する。認識処理部１６は、格納された画像データを、赤外光により撮像された画像として認識する（ステップＳ３０）。
＜実施例＞
次に、本実施形態における実施例を説明する。本実施形態において、撮像素子９が撮像可能な画像信号のデータ量は、第１の実施形態におけるデータ量と同一とする。また、フレームレート、画素数を変更する時間についても同一とする。なお、全ての撮像をフル画像（８Ｍ）でする場合における、プレビューの画像サイズを１．３Ｍと仮定する。そして、プレビュー状態から全ての画像素子を利用して撮像するための画像サイズ切り替え時間を、１／１５秒と仮定する。
【００６５】
【表２】
2013179524.tif 000004
表２に示すように、全ての波長において、従来の１．３Ｍで撮像する場合、全体として０．２０秒の撮像時間がかかる。８Ｍで撮像できる高画素の撮像素子９を利用して、全ての波長について撮像する場合、全体として１．０７秒の撮像時間に増加する。また、高画素の撮像素子９で画素数を減らして５Ｍで全ての波長について撮像する場合、全体として０．４０秒の撮像時間となる。
【００６６】
そこで、本実施形態のように、赤外光及び紫外光で撮像素子９の画素数を減らして撮像すると、全ての波長について撮像したとしても、０．７３秒の撮像時間になる。被写体２の撮像に利用する撮像素子９の画素数を増減することで、全体の撮像時間を０．３３秒短縮することができる。
【００６７】
以上のように、本実施形態に係る撮像装置１によれば、異なる波長毎に被写体２を撮像するときに、全体の撮像時間を短縮することができる。
【００６８】
また、本発明に係るストロボ装置は、上記した実施の形態に限定されるものではなく。本発明の要旨を逸脱しない範囲内において種々変更を加え得ることは勿論である。
【００６９】
例えば、上記実施形態においては、赤外光、紫外光、可視光の順で撮像すると説明したが、被写体２の特有の記号が撮像できるのであれば、赤外光又は紫外光のいずれか一方の撮像を省略してもよい。また、赤外光による撮像と、紫外光による撮像の順序を逆にしてもよい。また、全体の撮像時間が短くなるのであれば、可視光による撮像と、不可視光による撮像との順序を逆にしてもよい。
【００７０】
また、上記実施形態においては、被写体２として旅券を例示したが、免許証等や紙幣、貨幣などの特有の記号を有するものであれば、どのような被写体２であってもよい。また、撮像装置１を赤外光及び可視光のそれぞれで撮像するセキュリティ用途や、被写体２を構成する物質を特定する物質特定に利用してもよい。
【００７１】
また、上記実施形態において、画像処理部１５は、画像信号読出部１０から、撮像素子９により撮像された被写体２の画像信号を撮像毎に逐次受信する構成であってもよい。画像処理部１５は、受信した画像信号を受信する毎に画像データに変換してもよい。
また、上記第１の実施形態においては、被写体２が読取面３に載置されたことを認識する手段として、光センサや、重さセンサ等の各種構成を利用することができる。制御部６は、被写体２が読取面３に載置されたことを感知して、撮像部４を起動してもよい。
【産業上の利用可能性】
【００７２】
本発明の撮像装置は、旅券、紙幣、指紋等の読取装置として有効に利用できる。また、本発明の撮像装置は、セキュリティ用途や物質特定に有効に利用できる。
【符号の説明】
【００７３】
１  撮像装置
２  被写体
３  読取面
４  撮像部
５  発光部
６  制御部
７  反射ミラー（レフ板）
８  撮像ユニット（光学系）
９  撮像素子
１０  画像信号読出部
１１  可視光発光部
１２  不可視光発光部
１３  撮像制御部
１４  発光制御部
１５  画像処理部
１６  認識処理部
【図１】
2013179524.tif 000005
【図２】
2013179524.tif 000006
【図３】
2013179524.tif 000007
【図４】
2013179524.tif 000008
【図５】
2013179524.tif 000009
【図６】
2013179524.tif 000010